(57)【要約】      （修正有）【課題】組立式家具等を構成するパネルにおいて、１つのパネルの表面に他のパネルの木口部を直角等所定の角度で当てて固定する美観に優れたパネルの連結具を提供する。【解決手段】第１パネル６を第２パネル７に連結するための連結具が提供され、第１パネルは、第２パネルの表面９に固定される一つのエッジ８を備え、かつ２枚のパネルは互いに突き当たるように延在する。連結具は、第１パネルの一つのエッジから第１パネルの内方に切り込まれた開口部１８と協働する１個のアンカーユニットと、アンカーユニットを第２パネルに向かって付勢するために第２パネルを貫通する締付け具１９を受容するための、アンカーユニットに捕捉されたナット手段２０等を備える。アンカーユニットは、第１構成要素および第２構成要素を備え、各構成要素は、作用的外表面１３を備えたほぼ板状のベース１２と、１個または複数個の結合用突出部１５，１６を延出させた内表面１４と、周縁部とをそれぞれ備える。【選択図】図４
0003156422.tif 000002
【実用新案登録請求の範囲】
【請求項１】
第１パネル（６）を第２パネル（７）に連結するための連結具（５）であって、前記第１パネルは、前記第２パネルの表面（９）に固定される一つのエッジ（８）を備え、かつ前記２枚のパネルは互いに突き当たるように延在し、前記連結具は、前記第１パネルの前記一つのエッジから該第１パネルの内方に切り込まれた開口部（１８）と協働する１個のアンカーユニットと、該アンカーユニットを前記第２パネルに向かって付勢するために前記第２パネルを貫通する締付け具（１９）を受容するための、前記アンカーユニットに捕捉されたナット手段（２０，３４）とを備え、これにより前記第１および第２パネル同士を連結する連結具において、
前記アンカーユニットは、第１構成要素（１０）および第２構成要素（１１）を備え、該第１および第２構成要素は、作用的外表面（１３）を備えたほぼ板状のベース（１２）と、１個または複数個の結合用突出部（１５，１６）を延出させた内表面（１４）と、周縁部とをそれぞれ備え、前記結合用突出部は、前記ナット手段との、または前記締付け具との、またはそれらの双方との協働により、前記アンカーユニットを前記連結具の組付け状態に係止し、前記ベースの周縁部は、各場合において、前記ベースが前記開口部を覆う形状を有することを特徴とする連結具。
【請求項２】
前記２個の構成要素の周縁部に、前記組付け状態において前記第２パネルの表面に係合する平坦な突当てエッジ（２１）が形成されていることを特徴とする請求項１記載の連結具。
【請求項３】
前記突出部を用いた前記アンカーユニットの組付け状態において重なり合う前記２個の構成要素の突出部が、前記締付け具を受容するための貫通孔（１７）を有することを特徴とする請求項１または２記載の連結具。
【請求項４】
前記突出部は、前記締付け具の取付けまたは締付けにより、前記アンカーユニットの２個の構成要素が互いに相手側に向かって内方へ付勢されて、前記ベースの周縁部を前記第１パネルの協働的表面に対して強固に締付けるように形成されていることを特徴とする請求項１から３の何れか１項記載の連結具。
【請求項５】
前記複数の突出部を貫通する孔が、前記締付け具の先細にされた先端部（２２）により強制的に心合されて、前記２個のベースを互いに相手側に向かって引き寄せて、前記第１パネルの両面に係合させるように構成されていることを特徴とする請求項４記載の連結具。
【請求項６】
前記第１構成要素の間隔をおいた２個の突出部を貫通する孔（１７ａ）は、前記締付け具の周りに密着嵌合して該締付け具の前記突出部に対する横移動を実質的に禁止するが、前記第２構成要素の中央突出部を貫通する孔（１７ｂ）は、随意的に長円形に拡大された形状を有して前記中央突出部およびこれに結合されたベースの限定された横移動を許容するものであり、前記中央突出部およびナットホルダ（２４）の斜面（２３）が、前記締付け具が締め付けられるのにつれて、前記第２構成要素を前記第１構成要素に向かって付勢するように構成されていることを特徴とする請求項４記載の連結具。
【請求項７】
前記突出部が、前記２個の構成要素を協働関係に係止するためのラチェット構造（２７，２８）を備えていることを特徴とする請求項１から６の何れか１項記載の連結具。
【請求項８】
前記第１構成要素はそこから突出する２個の突出部（１５）を有し、動作位置において、前記第２構成要素からの１個の突出部（１６）および随意的に１個のナット（２０，３４）が前記第１構成要素の前記２個の突出部の間に受容されることを特徴とする請求項１から７の何れか１項記載の連結具。
【請求項９】
前記締付け具の挿入点から最も遠い側の前記突出部の孔は、前記締付け具の脱け出しに対して抵抗を与えるために、該締付け具の挿入を妨害するように構成された複数の摩擦付与リブ（２５）を有することを特徴とする請求項１から８の何れか１項記載の連結具。
【請求項１０】
組立てのために請求項１から９の何れか１項記載の連結具が用いられ、または用いられるべきパネルおよび該パネルを含む組立て体。
【考案の詳細な説明】
【技術分野】
【０００１】
本考案は、パネルまたはパネル状要素（以後、それらの正確な性質および機能に関わりなく、かつフレーム部材等をも含んで単にパネルと呼ぶ）のための連結具に関し、特に、しかしながら排他的ではなく、取外し可能なあるいは永久的に連結された家具のパネル、およびその他の機能的構造体のための連結具に関するものである。
【０００２】
さらに詳細には、本考案は、交差面において一般に、しかしそれに限らないが、直角に配向された２枚のパネルを、１枚のパネルのエッジが他方のパネルの面またはエッジに固定されるように連結するのに特に適した連結具に関するものである。
【０００３】
また本考案は、本考案の連結具を用いて他のパネルに固定されるのに適したパネル、特に家具のパネルおよび分解式のパネル、ならびに随意的に他の要素を伴ったかかるパネルの完全な組立て体に関するものである。
【背景技術】
【０００４】
複数の構成要素、特に家具の構成要素を、１枚のパネルまたはパネル状要素のエッジを他のパネルの表面またはエッジに対して強固に固定する態様で連結するための種々の連結具が市販されている。それらの締付け具は、木ネジ、セルフタッピングネジ、機械ネジ（通常は協働するナットと組み合わせる）、種々の形状のだぼ等を含む。
【０００５】
また、一般に分解式の家具に関連して用いられる或る種のカム動作を行なう係止手段も用いられ、これらは、１枚のパネルまたは他の要素内に打ち込まれた頭付きピンを別のパネルのエッジ内に延びる孔に挿入し、組立て位置においてカムまたはその他のロック手段が上記ピンの頭をロックして、上記パネルを他のパネルまたは要素に対してエッジを付き合わせた関係で連結する。
【０００６】
これらの構成は、見苦しい表面のひび割れおよびその他の傷によってパネルに損傷を与える可能性があり、かつ組み立てられた要素が不安定になる可能性もあることを含む種々の不利益を被っている。これらのコメントは、合板、ハードボード、チップボードおよびその他の再生木材からなるボード等の薄いパネルに関して特に的を射ている。また、このような連結具のために特注された部品は比較的高価である。
【０００７】
構造的脆弱性を克服するために提示された一つの提案が特許文献１に記載されている。この場合には、第１パネルのエッジ近傍の開口部にアンカー部材が挿入され、第１パネルの面内の上記アンカー部材内に延びるネジ溝を備えた締付け具によって、上記アンカー部材が、したがって上記第１パネルのエッジが第２パネルの表面に向かって引き寄せられる。上記締付け具は、鍵穴状の構成を有する上記開口部の幅が狭まった首部分内に配置される。
【０００８】
この構成の欠点は、上記アンカー部材が上記第１パネルの表面から少なからず突出すること、および上記首部分を含む上記開口部の残り部分が露出されることの双方であり、これにより、外観が見苦しくなる。したがって、本考案者は、このような連結具は、体裁が良く魅力的な外観が要求される多くの用途には不適当であると見做している。また、上記アンカー部材は、使用に際して協働する他の部材と干渉すると思われる。
【先行技術文献】
【特許文献】
【０００９】
【特許文献１】米国特許第４,１８８,１４８号明細書
【考案の概要】
【考案が解決しようとする課題】
【００１０】
本考案の目的は、現存する連結具の種々の欠点の少なくとも一つを少なくとも或る程度克服した連結具を提供することにある。
【課題を解決するための手段】
【００１１】
本考案の一つの態様によれば、第１パネルを第２パネルに連結するための連結具が提供され、上記第１パネルは、上記第２パネルの表面に固定される一つのエッジを備え、かつ上記２枚のパネルは互いに突き当たるように延在し、上記連結具は、上記第１パネルの上記一つのエッジからこの第１パネルの内方に切り込まれた開口部と協働する１個のアンカーユニットと、このアンカーユニットを上記第２パネルに向かって付勢するために上記第２パネルを貫通する締付け具を受容するための、上記アンカーユニットに捕捉されたナット手段とを備え、これにより前記第１および第２パネル同士を連結し、上記連結具は、上記アンカーユニットが、２個の構成要素（ここでは第１構成要素および第２構成要素と呼ぶ）を備え、各構成要素は、作用的な外表面を備えたほぼ板状のベースと、１個または複数個の結合用突出部を延出させた内表面と、周縁部とをそれぞれ備え、上記結合用突出部は、上記ナット手段との、または上記締付け具との、またはそれらの双方との協働により、上記アンカーユニットを上記連結具の組付け状態に係止し、上記ベースの周縁部は、各場合において、上記ベースが上記開口部を覆う形状を有することを特徴とするものである。
【００１２】
本考案のさらなる特徴は、上記組付け状態において上記第２パネルの表面に係合する平坦な突き当てエッジを備えた上記２個の構成要素の周縁部；上記突出部を用いた上記アンカーユニットの組付け状態において重なり合い、上記締付け具を受容するための貫通孔を有する上記２個の構成要素の突出部；使用時に、上記締付け具の取付けまたは締付けにより、上記アンカーユニットの２個の構成要素が互いに相手側に向かって内方へ付勢されて、上記ベースの周縁部を上記第１パネルの協働的表面に対して強固に締付けるように形成された突出部；上記２個の構成要素を協働関係に係止するためのラチェット構造を備えた突出部；そこから突出する２個の突出部を有し、動作位置において、上記第２構成要素からの１個の突出部および随意的に１個のナットが上記第１構成要素の上記２個の突出部の間に受容される第１構成要素；上記締付け具が抜け出さないように抵抗を与えるために、この締付け具の挿入を妨害するように構成された複数の摩擦付与リブを備えた、上記締付け具の挿入点から最も遠い側の突出部の孔；および、好ましくは、上記複数の突出部を通過する締付け具と心合し得るように上記構成要素を横方向に浮動させる態様で、上記アンカーユニットの２個の構成要素の一方または他方に捕捉された独立したナットであるナット手段を提供することにある。
【００１３】
上記締付け具の挿入または締付け時に必要とされる上記２個の構成要素を互いに相手側に向かわせる付勢は、上記パネルおよび他の要素の許容公差および設計要求に従って種々の態様で達成される。
【００１４】
一つの構成においては、上記突出部を貫通する孔が、上記締付け具の先細にされた先端部により簡単に強制的に心合されて、上記２個のベースを互いに相手側に向かって引き寄せ、かくして上記２個のベースを上記第１パネルの表面に係合させる。
【００１５】
あるいは、上記第１構成要素の間隔をおいた２個の突出部を貫通する孔は、上記締付け具の周りに密着嵌合してこの締付け具の上記突出部に対する横移動を実質的に禁止するが、上記第２構成要素の中央突出部を貫通する孔は、随意的に長円形に拡大された形状を有して、上記中央突出部およびこれに結合されたベースの限定された横移動を許容するものであり、上記中央突出部およびナットホルダの斜面が、上記締付け具が締結されるのにつれて、上記第２構成要素を上記第１構成要素に向かって付勢するように構成されている。
【００１６】
上記独立したナットは、通常のネジ溝付きナット、または、二つの終端角度位置を有するスチールプレートの形状とすることができ、上記二つの終端角度位置は、上記締付け具の単純な軸線方向移動によってこの締付け具が挿入されるときには、この締付け具に対して拡大された孔が提供される挿入位置と、上記プレート内の孔の対向するエッジが上記締付け具上のネジ溝によってナットの態様で螺合され、これにより上記締付け具の締付けを可能にする作動位置とである。上記締付け具がネジ溝付き締付け具である場合には、上記ナットはその回動を阻止する態様で捕捉されていなければならない。上記ナットは、平坦または波型の外面を有する締付け具と協働するスプリングスチールプレートとすることもできる。
【００１７】
上記アンカーユニットの２個の構成要素のそれぞれの外表面は、このアンカーユニットの一方または双方の外表面上で浅いドーム状をなしていても、あるいは構成要素の外表面と第１パネルの表面とが同一平面となるように上記ベースを埋め込むために、完全に平坦であってもよい。
【００１８】
上記アンカーユニットの構成要素の一方または他方の外表面は、ヒンジ、ハンドル、ロック、または棚のためのまたは吊り手としての支持部材等の、連結具に対する付属物の取付けに適した１個または複数の部材をさらに備えることができる。
【００１９】
上記第１および第２パネルは一般には互いに直角に延在するが、第１パネルが第２パネルに対して傾斜して延在するように連結具を構成することができることも本考案の範囲内である。
【００２０】
本考案はまた、上述に定義されたような連結具に適応させるように特に造形された開口部を備えたパネル、ならびに上述に定義されたような連結具の少なくとも数個を含む随意的にその他の要素を伴ったパネル組立て体をも提供するものである。
【００２１】
本考案の上述した、およびその他の特徴をより完全に理解するために、添付の図面を参照して本考案の種々の実施の形態を以下に説明する。
【図面の簡単な説明】
【００２２】
【図１】本考案の連結具を用いて組み立てることが可能な一般的な構造を有する家具の正面図である。
【図２】本考案の連結具を用いて、第１パネルが第２パネルに対してエッジを突き当てて取り付けられた状態を示す平面図である。
【図３】図２のIII−III線に沿った断面図である。
【図４】図２および図３の組立て体の分解斜視図である。
【図５】図４においてアンカーユニットが組み付けられた状態を示す斜視図である。
【図６】一方向から見た連結具の構成要素を示す拡大分解斜視図である。
【図７】反対方向から見た連結具の構成要素を示す拡大分解斜視図である。
【図８】連結具の追加された属性を示す図２に類似した平面図である。
【図９】組み付けられたアンカーユニットの背面図である。
【図１０】埋込み型の変形連結具を示す図３に類似した断面図である。
【図１１】ナットホルダおよび斜面が用いられて、締付け時にアンカーユニットの２個の構成要素が一体になるように付勢される型の変形連結具を示す分解斜視図である。
【図１２】図１１に示された本考案の実施の形態の図３に類似した断面図である。
【図１３】アンカーユニットの２個の構成要素を保持するための随意的なラチェット構造の爪を示す、図６に類似した分解斜視図である。
【図１４】ラチェット構造の協働する歯付きラックを示す、図７に類似した分解斜視図である。
【図１５】第１および第２パネルの間に直角のコーナー部を形成する変形連結具を示す分解斜視図である。
【図１６】図１５に示された連結具の断面図である。
【図１７】第１パネルが第２パネルに対して傾斜して延在する本考案の変形を示す図３に類似した断面図である。
【図１８】ナットが締付け具の最終位置近くまでの単純な軸線方向の挿入を可能にする本考案の変形を示す分解斜視図である。
【図１９】図１８に示された連結具のナットが挿入終端位置にあるときの組付け状態を示す断面図である。
【図２０】ナットが作動終端位置にあるときの図１９に示された連結具の断面図である。
【考案を実施するための形態】
【００２３】
本考案によって提供される連結具は、パネルの性質または、パネルが果たす機能に関係なく、複数のパネルを一体に連結することに関して極めて広い用途を有し、その一例である図１には、このような連結具を用いて組み立てることが可能な本棚（１）が示されている。この場合のパネルは、天板、側板および底板（２）、棚板（３）および背板（４）を含む。
【００２４】
ここで特に図２〜図７を参照すると、本考案による連結具（５）は、一般に直角をなして、互いに突き当たるように延在する２枚のパネルを、第１パネル（６）のエッジ（８）が第２パネル（７）の面（９）に固定される態様で連結するものである。
【００２５】
上記連結具は、第１構成要素（１０）および第２構成要素（１１）を有するアンカーユニットを備え、これら第１および第２構成要素のそれぞれは、外表面（１３）および内表面（１４）を備えた概ね板状のベース（１２）を有する。
【００２６】
第１構成要素（１０）の内表面には、そこから突出する２個の間隔をおいた突出部（１５）が設けられ、第２構成要素（１１）には１個の中央突出部（１６）が設けられている。これらの突出部は、図３から明らかなように、組立て状態において、整列したこれら突出部に横孔（１７）が貫通するように互いに重なり合うように配置される。突出部は、ここに記載された目的に特に適合するように選択された射出成形プラスチック材料から作製されるのが好ましい。
【００２７】
上記突出部は、上記第１パネルのエッジ（８）から内方に切り込まれた開口部（１８）に嵌合し得る形状の外周面を備えている。上記開口部（１８）は、アンカーユニットを第２パネルに向かって付勢してこれにより第１および第２パネルを一体に連結するために第２パネルを貫通しかつ重なり合う突出部（１５）および（１６）を貫通する締付け具（１９）に適応するために、エッジ（８）に開口する短い幹部を備えた鍵穴の形状を有する。この目的のために、締付け具（１９）に螺合するナット（２０）が、中央の突起部（１６）の遠い側に捕捉されている。この「捕捉」という言葉は、ナット自体が自動的に締付け具に心合するために浮動しているが、少なくともネジ溝を備えた締付け具の場合には自由回転が規制される意味に特に用いられていることに注目すべきである。
【００２８】
２個のベースの周縁はほぼ一致しており、かつ連結位置においては、各ベースが完全に開口部を覆い、かつ組立て位置において第２パネルの表面に係合する、第１パネルの表面に垂直な突当て面（２１）を備えている。
【００２９】
図１から図７に示されている例では、アンカーユニットの構成要素の外表面は、第１パネルの外表面に接するのに適しており、したがって、審美的に見て美しい浅いドーム状に構成されている。
【００３０】
しかしながら、図１０に示されているように、ベースが第１パネルの凹部に埋め込まれたときに第１パネルと同一平面をなすように、平坦な外表面を備えた一定の厚さを有するものであってもよい。
【００３１】
上述の連結具は、上記突出部が上記開口部（１８）を塞いでこの連結具を第１パネルの面内に位置決めするように、第１パネルの両面からアンカーユニットの二つの構成要素が容易に組み合わされる。次いで、第２パネルの孔を通過したネジ溝付き締付け具が突出部の孔に挿通され、かつ２枚のパネルを締め付けるためにナットに挿入される。相互連結される細長いパネルに沿って間隔をおいた位置に複数の連結具が提供されることは明らかである。
【００３２】
上述のような単純な形式の連結具が効果的に採用可能であるが、製造誤差があるために、締付け具の挿入または締付け時に上記２個の構成要素を互いに相手側に向かって付勢するための或る種の手段を設けることが一般に必要になる。
【００３３】
図３に示された本考案の実施の形態においては、最初は完全には重ならずにいくらか不揃いであった突出部の貫通孔に、締付け具の先細になった先端（２２）が挿入されるのにつれてこの先端が２個のベースを互いに近づく方向に引き寄せることにより、突出部の貫通孔が心合するように構成されている。締付け具が挿入されるのにつれて、或る場合はいくらか強制的に、突出部同士が互いに近づく方向に引き寄せられ、これにより、締付け具が徐々に孔に入って行くにつれて、二つのベースが第１パネルの両面に対して強制的に強固に固定される。
【００３４】
あるいは、図１１および図１２に示されているように、第１構成要素１０ａの２個の間隔をおいた突出部を貫通する孔（１７ａ）が、締付け具（１９ａ）の周囲に密着して、突出部に対する締付け具の横方向の動きを実質的に禁止する。しかしながら、第２構成要素の中央の突出部を貫通する孔（１７ｂ）は長円形で、締付け具が締付けられるのにつれて第２構成要素が第１構成要素に向かって強制的に移動される。この強制作用は、突出部（１６ｂ）上の斜面（２３）とナットホルダ（２４）とによって達成される。
【００３５】
特に図３および図９を参照して締付け具が最終位置に挿入される話題に戻ると、挿入点から最も遠い側の突出部内の孔が、締付け具の抜け出しに対して、特にパネルと他の構成要素との組立て体の使用時における締付け具の緩みに対して抵抗を与えることを目的とする摩擦増大リブ（２５）を備えているのが好ましい。このようにして、ロックナット形式の構成が提供される。
【００３６】
図８に示されているように、アンカーユニットの一方または他方の外表面に、符号（２６）で示されているように、ヒンジ、ハンドル、ロック、または棚のためのまたは吊り手としての支持部材等の連結具に対する付属品の取付けに適した１個または複数の手段を備えていてもよい。
【００３７】
関連するパネルおよびその他の構成要素の取付け時に、アンカーユニットを組み付けられた状態に保つのを助けるために、図１３および図１４に示されているように、突出部を備えた二つの構成要素を重なり合う協働関係に係止するためのラチェット構造を提供するために、突出部（１５ｃ）の内の１個が、成形されたラック（２７）を備え、隣接する中央突出部（１６ｃ）が協働する爪（２８）を備えていてもよい。
【００３８】
また、二つの構成要素が接着剤で固定されて組付け状態を保つことも可能であり、あるいは、それらが、一般に超音波融着により組付け状態に融着されることも可能である。
【００３９】
図１５および図１６に示されているように、第１パネル（６ｄ）が第２パネル（７ｄ）のエッジ（３０）に沿って連結されることを可能にするために、射出成形されたコーナー連結部材（２９）を設けて、２枚のパネルの間にコーナー部を画成することができることにも注目すべきである。この場合、コーナー連結部材は、アンカーユニットの協働する二つの構成要素のベースとほぼ同様のベース（３１）を有して、第２パネルのエッジの近傍の開口部（３２）がコーナー連結部材を、したがって第２パネルを第１パネルに位置合わせする役目を果たすことができる。コーナー連結部材は、アンカーユニットの平坦な突当てエッジに当接する前面（３３）を備えて、コーナー連結部材が、コーナー部の周りにほぼ連続する面を形成する。締付け具（１９ｄ）は、図示のようにコーナー連結部材を貫通する。
【００４０】
上述した通常のナットの代わりに、図１８〜図２０に示されているように、ナットを二つの終端角度位置を有するスチールプレート（３４）の形状にすることができ、一方の角度位置は、図１９に示されているように挿入位置であり、そこでは、締付け具（１９ｅ）がアンカーユニット内へ挿入されるときには、単純な軸線方向の移動が要求されるので、拡大された孔が締付け具に提供される。プレート状のナットの他方の角度位置は、孔の対向エッジが締付け具のネジ溝にナットの態様で螺合し、これにより締付け具を正常に回動することによる締付け具の締結を可能にする作動位置である。
【００４１】
上述のものは、２枚のパネルが互いにほぼ直角の方向に向けられている。しかしながら、本考案の範囲内において、図１７に示されているように、アンカーユニットを構成する二つの構成要素を、適当に角度の付された突当て面（２１ｆ）を備えるように所望の形状に成形することにより、第１パネル（６ｆ）が第２パネル（７ｆ）に対して傾斜するように、連結具を構成することが可能である。
【００４２】
上述した本考案の種々の実施の形態に対して、本考案の範囲から逸脱することなしに種々の変形が可能なことが理解されるべきである。
【符号の説明】
【００４３】
５    連結具
６，６ｄ、６ｆ    第１パネル
７，７ｄ、７ｆ    第２パネル
８    第１パネルのエッジ
９    第２パネルの表面
１０，１０ａ    アンカーユニットの第１構成要素
１１，１１ａ    アンカーユニットの第２構成要素
１２，３１    ベース
１５，１５ｃ，１６，１６ｃ    突出部
１７，１７ａ，１７ｂ    突出部の貫通孔
１８，３２    開口部
１９，１９ａ，１９ｄ，１９ｅ    締付け具
２０    ナット
２１，２１ｆ    突当て面
２２    締付け具の先端部
２３    斜面
２４    ナットホルダ
２５    リブ
２７    ラック
２８    爪
２９    コーナー連結具
３０    第２パネルのエッジ
【図１】
0003156422.tif 000003
【図２】
0003156422.tif 000004
【図３】
0003156422.tif 000005
【図４】
0003156422.tif 000006
【図５】
0003156422.tif 000007
【図６】
0003156422.tif 000008
【図７】
0003156422.tif 000009
【図８】
0003156422.tif 000010
【図９】
0003156422.tif 000011
【図１０】
0003156422.tif 000012
【図１１】
0003156422.tif 000013
【図１２】
0003156422.tif 000014
【図１３】
0003156422.tif 000015
【図１４】
0003156422.tif 000016
【図１５】
0003156422.tif 000017
【図１６】
0003156422.tif 000018
【図１７】
0003156422.tif 000019
【図１８】
0003156422.tif 000020
0003156422.tif 000021
【図２０】
0003156422.tif 000022
【手続補正書】
【提出日】平成21年10月23日(2009.10.23)
【手続補正１】
【補正対象書類名】実用新案登録請求の範囲
【補正対象項目名】全文
【補正方法】変更
【補正の内容】
【実用新案登録請求の範囲】
【請求項１】
第１パネル（６）を第２パネル（７）に連結するための連結具（５）であって、前記第１パネルは、前記第２パネルの表面（９）に固定される一つのエッジ（８）を備え、かつ前記２枚のパネルは互いに突き当たるように延在し、前記連結具は、前記第１パネルの前記一つのエッジから該第１パネルの内方に切り込まれた開口部（１８）と協働する１個のアンカーユニットと、該アンカーユニットを前記第２パネルに向かって付勢するために前記第２パネルを貫通する締付け具（１９）を受容するための、前記アンカーユニットに捕捉されたナット手段（２０，３４）とを備え、これにより前記第１および第２パネル同士を連結する連結具において、
前記アンカーユニットは、第１構成要素（１０）および第２構成要素（１１）を備え、該第１および第２構成要素は、作用的外表面（１３）を備えたほぼ板状のベース（１２）と、１個または複数個の結合用突出部（１５，１６）を延出させた内表面（１４）と、周縁部とをそれぞれ備え、前記結合用突出部は、前記ナット手段との、または前記締付け具との、またはそれらの双方との協働により、前記アンカーユニットを前記連結具の組付け状態に係止し、前記ベースの周縁部は、各場合において、前記ベースが前記開口部を覆う形状を有することを特徴とする連結具。
【請求項２】
前記第１構成要素および前記第２構成要素の各々の周縁部に、前記組付け状態において前記第２パネルの表面に係合する平坦な突当てエッジ（２１）が形成されていることを特徴とする請求項１記載の連結具。
【請求項３】
前記結合用突出部を用いた前記アンカーユニットの組付け状態において重なり合う前記第１構成要素および前記第２構成要素の各々の結合用突出部が、前記締付け具を受容するための貫通孔（１７）を有することを特徴とする請求項１または２記載の連結具。
【請求項４】
前記結合用突出部は、前記締付け具の取付けまたは締付けにより、前記アンカーユニットの前記第１構成要素および前記第２構成要素が互いに相手側に向かって内方へ付勢されて、前記ベースの周縁部を前記第１パネルの協働的表面に対して強固に締付けるように形成されていることを特徴とする請求項１から３の何れか１項記載の連結具。
【請求項５】
前記複数の結合用突出部を貫通する孔が、前記締付け具の先細にされた先端部（２２）により強制的に心合されて、前記第１構成要素のベースおよび前記第２構成要素のベースを互いに相手側に向かって引き寄せて、前記第１パネルの両面に係合させるように構成されていることを特徴とする請求項４記載の連結具。
【請求項６】
前記第１構成要素の間隔をおいた２個の前記結合用突出部を貫通する孔（１７ａ）は、前記締付け具の周りに密着嵌合して該締付け具の前記結合用突出部に対する横移動を実質的に禁止するが、前記第２構成要素の中央の前記結合用突出部を貫通する孔（１７ｂ）は、随意的に長円形に拡大された形状を有して前記中央の結合用突出部およびこれに結合された前記ベースの限定された横移動を許容するものであり、前記中央の結合用突出部およびナットホルダ（２４）の斜面（２３）が、前記締付け具が締め付けられるにつれて、前記第２構成要素を前記第１構成要素に向かって付勢するように構成されていることを特徴とする請求項４記載の連結具。
【請求項７】
前記結合用突出部が、前記第１構成要素および前記第２構成要素を協働関係に係止するためのラチェット構造（２７，２８）を備えていることを特徴とする請求項１から６の何れか１項記載の連結具。
【請求項８】
前記第１構成要素はそこから突出する２個の前記結合用突出部（１５）を有し、動作位置において、前記第２構成要素からの１個の前記結合用突出部（１６）および随意的に１個のナット（２０，３４）が前記第１構成要素の前記２個の結合用突出部の間に受容されることを特徴とする請求項１から７の何れか１項記載の連結具。
【請求項９】
前記締付け具の挿入点から最も遠い側の前記結合用突出部の孔は、前記締付け具の脱け出しに対して抵抗を与えるために、該締付け具の挿入を妨害するように構成された複数の摩擦付与リブ（２５）を有することを特徴とする請求項１から８の何れか１項記載の連結具。
【請求項１０】
組立てのために請求項１から９の何れか１項記載の連結具が用いられ、または用いられるべきパネルおよび該パネルを含む組立て体。